(57)【要約】【課題】筐体に設けられた隙間からの音漏れや、音圧によって隙間で空気が振動することによる音を防止することが可能な音響装置を提供する。【解決手段】音響装置１は、筐体３を備えている。筐体３の中央部には、スピーカ６が配置されている。筐体３の内側には、スピーカ６が外部に音を出力する方向である出力方向以外の方向においてスピーカ６を囲む収納壁部３６が設けられている。筐体３の内側、且つ、収納壁部３６の周囲には、回路基板８が設けられている。回路基板８は、スピーカ６に対して出力方向に直交する一の方向側に設けられた第一部位８０１と、スピーカ６を挟んで第一部位８０１に対向して設けられた第二部位８０２とを備えている。また、回路基板８は、第一部位８０１と第二部位８０２とを接続する部位を備えている。【選択図】図３
2013219564.tif 000002
【特許請求の範囲】
【請求項１】
外装壁を備えた筐体と、
前記筐体の内側に配置されたスピーカと、
前記筐体の内側に設けられ、前記スピーカが前記筐体の外部に音を出力する方向である出力方向以外の方向において前記スピーカを囲む壁部である収納壁部と、
前記筐体の内側且つ前記収納壁部の周囲に設けられ、前記スピーカに対して前記出力方向に直交する直交方向における一の方向側に設けられた第一部位と、前記スピーカを挟んで前記第一部位に対向して設けられた第二部位と、前記第一部位と前記第二部位と接続する第一接続部位とを少なくとも備えた回路基板と
を備えたことを特徴とする音響装置。
【請求項２】
前記収納壁部における前記スピーカに対して前記直交方向側に設けられた前記壁部は、前記筐体の前記出力方向側の前記外装壁と、前記筐体の前記出力方向の反対方向側の前記外装壁とに接続され、
前記収納壁部における前記出力方向側の前記壁部は、前記筐体の前記出力方向側の前記外装壁の一部であり、
前記収納壁部における前記出力方向の反対方向側の前記壁部は、前記筐体の前記出力方向の反対方向側の前記外装壁の一部であることを特徴とする請求項１に記載の音響装置。
【請求項３】
前記回路基板は、前記スピーカを挟んで前記第一接続部位に対向して設けられ、前記第一部位と前記第二部位とを接続する第二接続部位を備えたことを特徴とする請求項１又は２に記載の音響装置。
【請求項４】
前記回路基板の前記第一部位に対して前記出力方向側又は前記出力方向の反対方向側に配置され、所定の厚み以上の厚みを有する第一部品と、
前記回路基板の前記第二部位に対して、前記出力方向及び前記出力方向の反対方向のうち前記第一部品が設けられている方向と同じ方向側に配置され、前記所定の厚み以上の厚みを有する第二部品と
を備えたことを特徴とする請求項１から３のいずれかに記載の音響装置。
【請求項５】
前記スピーカは、前記出力方向の反対方向側の端部に、少なくとも磁石が収納された部位である磁石収納部を備え、
前記筐体は、前記筐体における前記出力方向の反対方向側の前記外装壁において前記磁石収納部より前記直交方向側に設けられた凹部であって、前記磁石収納部における前記出力方向の反対方向側の端より前記出力方向側に凹んだ凹部を備え、
一端部が前記凹部に回動可能に配置され、他端部が載置面に接触して前記筐体を支持可能な位置と、前記筐体を支持不能な位置との間で切り替え可能なスタンド部と
を備えたことを特徴とする請求項１から４のいずれかに記載の音響装置。
【請求項６】
前記凹部は、前記直交方向のうち、前記スピーカ及び前記収納壁部から離れる方向側、且つ前記収納壁部から離間した部位に、前記直交方向に向いて設けられた孔部を備え、
前記スタンド部は、前記孔部に挿入される軸部を備え、前記軸部を中心に回動することを特徴とする請求項５に記載の音響装置。
【請求項７】
前記筐体は、前記出力方向側の前記外装壁を含む部品である第一筐体部品と、前記出力方向の反対方向側の前記外装壁を含む部品である第二筐体部品とを含み、
前記収納壁部における前記スピーカに対して前記直交方向側に設けられた前記壁部は、前記第一筐体部品と前記第二筐体部品との少なくとも一方に設けられ、
前記第一筐体部品と前記第二筐体部品とは、前記収納壁部の内側と外側とに設けられた接続部によって互いに接続されることを特徴とする請求項１から６のいずれかに記載の音響装置。
【発明の詳細な説明】
【技術分野】
【０００１】
本発明は、音声を出力可能な音響装置に関する。
【背景技術】
【０００２】
従来、音声を出力可能な音響装置が知られている。例えば、特許文献１に記載の音声再生装置は、プリント基板の所定位置に、スピーカの振動板と略同等の取り付け孔を設け、この取り付け孔にスピーカを埋設している。一般的に、音響装置のスピーカとプリント基板とは、筐体の内側に設けられる。そして、筐体には、スイッチ及びコネクタ等を配置するための孔や、マイクで外部の音を集音するための孔などが設けられる。そして、孔と各種部品との間には、筐体の内側と外側を連通する隙間が存在する。
【先行技術文献】
【特許文献】
【０００３】
【特許文献１】実開平１−１５９４９１号公報
【発明の概要】
【発明が解決しようとする課題】
【０００４】
特許文献１の音声再生装置におけるスピーカとプリント基板とを筐体の中に設けた場合、スピーカが筐体の外部に音を出力させる方向（以下、出力方向という。）だけでなく、出力方向の反対方向にも音が出力される。すなわち、筐体内部に音が出力される。筐体内部に音が出力されると、筐体の内側と外側の挿通する隙間から音漏れが発生したり、音圧によって隙間で空気が振動（移動）することによる音が発生したりするという問題点がある。
【０００５】
本発明の目的は、筐体に設けられた隙間からの音漏れや、音圧によって隙間で空気が振動することによる音を防止することが可能な音響装置を提供することである。
【課題を解決するための手段】
【０００６】
本発明の態様に係る音響装置は、外装壁を備えた筐体と、前記筐体の内側に配置されたスピーカと、前記筐体の内側に設けられ、前記スピーカが前記筐体の外部に音を出力する方向である出力方向以外の方向において前記スピーカを囲む壁部である収納壁部と、前記筐体の内側且つ前記収納壁部の周囲に設けられ、前記スピーカに対して前記出力方向に直交する直交方向における一の方向側に設けられた第一部位と、前記スピーカを挟んで前記第一部位に対向して設けられた第二部位と、前記第一部位と前記第二部位と接続する第一接続部位とを少なくとも備えた回路基板とを備えている。
【０００７】
この場合、スピーカが収納壁部によって囲まれる。また、筐体の内側のスピーカと回路基板とが収納壁部によって分離される。このため、スピーカが出力方向に音を出力する場合に発生する反対方向への音が、回路基板が設けられている空間に漏れることが収納壁部によって防止される。回路基板には、例えば、スイッチやコネクタ等が実装される。このため、筐体には、スイッチやコネクタ等を配置するための、筐体の内側と外側を連通する隙間が存在する。しかし、反対方向への音が回路基板が設けられている空間に漏れることが収納壁部によって防止されるので、隙間から音が漏れたり、隙間で空気が振動することによる音が発生したりすることが防止される。
【０００８】
前記音響装置において、前記収納壁部における前記スピーカに対して前記直交方向側に設けられた前記壁部は、前記筐体の前記出力方向側の前記外装壁と、前記筐体の前記出力方向の反対方向側の前記外装壁とに接続され、前記収納壁部における前記出力方向側の前記壁部は、前記筐体の前記出力方向側の前記外装壁の一部であり、前記収納壁部における前記出力方向の反対方向側の前記壁部は、前記筐体の前記出力方向の反対方向側の前記外装壁の一部であってもよい。この場合、収納壁部におけるスピーカに対して直交方向側に設けられた壁部と外装壁とによって収納壁部が構成される。このため、収納壁部における出力方向側及び反対方向側の壁部を外装壁とは別に設ける場合に比べて、筐体の出力方向及び反対方向への厚みを少なくすることができる。故に、音響装置を薄型化することができる。
【０００９】
前記音響装置において、前記回路基板は、前記スピーカを挟んで前記第一接続部位に対向して設けられ、前記第一部位と前記第二部位とを接続する第二接続部位を備えてもよい。この場合、第一部位と第二部位とが、第一接続部位及び第二接続部位の２つで接続されるので、回路基板の強度が向上する。
【００１０】
前記音響装置は、前記回路基板の前記第一部位に対して前記出力方向側又は前記出力方向の反対方向側に配置され、所定の厚み以上の厚みを有する第一部品と、前記回路基板の前記第二部位に対して、前記出力方向及び前記出力方向の反対方向のうち前記第一部品が設けられている方向と同じ方向側に配置され、前記所定の厚み以上の厚みを有する第二部品とを備えてもよい。この場合、所定の厚み以上の厚みのある第一部品及び第二部品が、回路基板に対して同じ方向に設けられている。このため、所定の厚み以上の厚みを有する部品が互いに回路基板の反対側に設けられている場合に比べて、出力方向及び反対方向への厚みを少なくすることができる。故に、音響装置をさらに薄型化できる。
【００１１】
前記音響装置において、前記スピーカは、前記出力方向の反対方向側の端部に、少なくとも磁石が収納された部位である磁石収納部を備え、前記筐体は、前記筐体における前記出力方向の反対方向側の前記外装壁において前記磁石収納部より前記直交方向側に設けられた凹部であって、前記磁石収納部における前記出力方向の反対方向側の端より前記出力方向側に凹んだ凹部を備え、一端部が前記凹部に回動可能に配置され、他端部が載置面に接触して前記筐体を支持可能な位置と、前記筐体を支持不能な位置との間で切り替え可能なスタンド部とを備えてもよい。この場合、スタンド部の回動中心となるスタンド部の一端部が凹部に配置される。故に、スタンド部の一端部が音響装置における出力方向の反対方向側に突出することが防止され、音響装置を薄型化できる。また、凹部が磁石収納部における出力方向の反対方向側の端より出力方向側に凹んでいる。このため、凹部が磁石収納部における出力方向の反対方向側の端より出力方向側に凹んでいない場合に比べて、スタンド部の一端部が配置される位置が出力方向側になる。故に、音響装置をさらに薄型化することができる。
【００１２】
前記音響装置において、前記凹部は、前記直交方向のうち、前記スピーカ及び前記収納壁部から離れる方向側、且つ前記収納壁部から離間した部位に、前記直交方向に向いて設けられた孔部を備え、前記スタンド部は、前記孔部に挿入される軸部を備え、前記軸部を中心に回動してもよい。この場合、スタンド部の回動軸となる軸部が挿入される孔部が、収納壁部には設けられない。このため、収納壁部に軸部を挿入する孔が形成されることが防止される。故に、収納壁部に軸部を挿入する孔が形成されることで当該孔から音が漏れることを防止できる。
【００１３】
前記音響装置において、前記筐体は、前記出力方向側の前記外装壁を含む部品である第一筐体部品と、前記出力方向の反対方向側の前記外装壁を含む部品である第二筐体部品とを含み、前記収納壁部における前記スピーカに対して前記直交方向側に設けられた前記壁部は、前記第一筐体部品と前記第二筐体部品との少なくとも一方に設けられ、前記第一筐体部品と前記第二筐体部品とは、前記収納壁部の内側と外側とに設けられた接続部によって互いに接続されてもよい。この場合、収納壁部の内側と外側に、第一筐体部品と第二筐体部品とを接続する接続部が設けられる。このため、収納壁部の内側のみ、又は、外側のみで第一筐体部品と第二筐体部品とが接続される場合に比べてより確実に、スピーカが設けられている空間と回路基板が設けられている空間とを隔てる収納壁部に隙間が発生することを防止できる。
【図面の簡単な説明】
【００１４】
【図１】音響装置１の前側からの斜視図である。
【図２】音響装置１の後側からの斜視図である。
【図３】図１のＩ−Ｉ線矢視方向断面図である。
【図４】スピーカ６及び回路基板８が装着された状態の第一筐体部品３１の背面図である。
【図５】第一筐体部品３１の斜視図である。
【図６】第二筐体部品３２の斜視図である。
【図７】音響装置１の分解斜視図である。
【図８】スタンド９が装着された状態の第二筐体部品３２の斜視図である。
【図９】スタンド９の斜視図である。
【図１０】図４に示す第二接続部位８０４が削除された回路基板８が装着された状態の第一筐体部品３１の背面図である。
【図１１】収納壁部３６の形状と回路基板８の形状との変形例を示す図である。
【発明を実施するための形態】
【００１５】
図１〜図９を参照し、本発明を具現化した一実施形態である音響装置１について説明する。図１において、紙面の左下側、右上側、上側、下側、左上側、右下側をそれぞれ音響装置１の前側、後側、上側、下側、左側、右側として説明する。音響装置１は、ネットワークに接続された図示外のパーソナルコンピュータ（以下、ＰＣという。）に接続され、少なくとも音声を用いた遠隔会議を行うことが可能な装置である。例えば、音響装置１は他の拠点からネットワーク及びＰＣを介して送信された音声をスピーカ６（後述）から出力（再生）することができる。また、音響装置１は、マイク７（後述）で音を集音することができる。集音された音は、ＰＣ及びネットワークを介して他の拠点に送信される。また、音響装置１は、例えば携帯電話などの通信端末に接続されることで、ハンズフリーの通話を可能とする。
【００１６】
図１及び図２に示すように、音響装置１は、直方体状の筐体３を備えている。筐体３は、前側の外装壁である前外装壁３１１を有する第一筐体部品３１と、後側の外装壁である後外装壁３２１を有する第二筐体部品３２とを備えている。後外装壁３２１の上下左右の端部は、前側に向かって湾曲している（図２参照）。前外装壁３１１及び後外装壁３２１の間には、外装側壁３３が設けられている。外装側壁３３は、筐体３の上下左右の外装壁である。外装側壁３３は、第一筐体部品３１の側壁と、第二筐体部品３２の側壁によって形成されている。
【００１７】
前外装壁３１１の中央には、円形の孔部３４が設けられている。孔部３４の内側には、スピーカ６が配置されている。スピーカ６は、前方向に向けて音を出力する。すなわち、スピーカ６が筐体３の外部に音を出力する出力方向は、前方向である。以下の説明では、前方向を「出力方向」という場合があり、出力方向の反対方向である後方向を「反対方向」という場合がある。出力方向に直交する方向を「直交方向」という。音響装置１の中央部（スピーカ６の中央部）から直交方向に離れる方向を「直交方向外側」といい、音響装置１の中央部（スピーカ６の中央部）に向けて直交方向に近づく方向を「直交方向内側」という。
【００１８】
前外装壁３１１の右上部には、孔部３５が設けられている。孔部３５の内側には、マイク７が配置されている。マイク７は、孔部３５を介して外部の音を集音する。前外装壁３１１は、反対方向にやや凹んだ凹部３１２を備えている。凹部３１２は、孔部３４よりも上下方向の幅が長く、前外装壁３１１の左右に亘って延びる。図示しないが、凹部３１２には、カバー部品が配置される。該カバー部品には、全面に亘って前後方向に貫通する小さい孔が複数設けられている。スピーカ６は該孔を介して音を出力方向に出力し、マイク７は該孔を介して入力された音を集音する。
【００１９】
外装側壁３３の上部には、複数（３つ）の孔部３３１が設けられている。孔部３３１の内側には、回路基板８（図４参照）に実装された４つのスイッチ８１が設けられている。外装側壁３３の左部には、複数（３つ）の孔部３３２が設けられている（図２参照）、孔部３３２の内側には、回路基板８に実装されたヘッドフォン用ジャック８２、スマートフォン用ジャック８３、及びＵＳＢ（Ｕｎｉｖｅｒｓａｌ  Ｓｅｒｉａｌ  Ｂｕｓ）ジャック８４におけるプラグの差し込み口が配置されている。音響装置１はＵＳＢジャック８４、ＵＳＢジャック８４に差し込まれたプラグ、該プラグに接続されたケーブルを介してＰＣと通信を行う。音響装置１はスマートフォン用ジャック８３に差し込まれたプラグ、該プラグに接続されたケーブルを介してスマートフォンと通信を行う。ユーザは、音響装置１を使用してハンズフリー通話等を行うことができる。なお、スマートフォン用ジャック８３には、スマートフォン以外の通信端末を接続することもできる。
【００２０】
図２に示すように、筐体３の後外装壁３２１には、スタンド９が設けられている。スタンド９は、スタンド９の一端部（延伸部９１（後述）の上端部）を中心に回動する。スタンド９は、他端部（接続部位９２の下端部）が机等の載置面に接触して筐体３を支持可能な位置（図２参照）と、スタンド９が第一凹部３２２（後述）と第二凹部３２３（後述）とに配置されて筐体３を支持不能な位置との間で切り替えられる。
【００２１】
図３〜図７を参照し、音響装置１の内部構造について説明する。図３及び図４に示すように、音響装置１の内側の中央部には、スピーカ６が設けられている。スピーカ６の反対方向側の端部（スピーカ６の後端部）には、少なくとも磁石（図示外）を収納する円柱状の磁石収納部６１が設けられている。図示しないが、磁石収納部６１には、前後方向に貫通する孔部を有する磁石と、該磁石の孔部の内側に設けられたコイルとが収納されている。磁石収納部６１の前側には、振動板等が収納された音声出力部６２が設けられている。音声出力部６２の直交方向の径は磁石収納部６１の直交方向の径より大きい。音声出力部６２の前面（音が出力される面）は、前方（出力方向）を向いている。
【００２２】
図４に示すように、スピーカ６の音声出力部６２の左右方向外側には、スピーカ６を固定するため孔部（図示外）を有する板状部材である固定部材６３が設けられている。ネジ６４の軸部が、固定部材６３の孔部を介して、第一筐体部品３１に設けられた円筒部材６５（図５参照）のネジ穴に挿入されている。固定部材６３がネジ６４の頭部と円筒部材６５の後端面とに挟まれることで、スピーカ６が固定されている。
【００２３】
図３及び図４に示すように、筐体３の内側におけるスピーカ６の周囲には、スピーカ６を収納する収納壁部３６が設けられている。収納壁部３６は、出力方向以外の方向においてスピーカ６を囲む壁部である。収納壁部３６は、前壁部３６１、後壁部３６２、及び側壁３６３を備えている。前壁部３６１は、収納壁部３６の出力方向側の壁部である（図３〜図５参照）。前壁部３６１は、前外装壁３１１の一部である。後壁部３６２は、収納壁部３６の反対方向側（後側）の壁部である（図３及び図６参照）。後壁部３６２は、後外装壁３２１の一部である。
【００２４】
側壁３６３は、スピーカ６の直交方向の周囲に設けられた壁部である。側壁３６３は、正面視で矩形状にスピーカ６を囲む（図４参照）。側壁３６３は、前外装壁３１１と後外装壁３２１とに接続されている。より詳細には、側壁３６３は、第一側壁３６４、第二側壁３６５、弾性部材３６６（図３参照）、及び弾性部材３６７（図４参照）を含む。第一側壁３６４は、前外装壁３１１から後方向に立設されている（図５参照）。第二側壁３６５は、後外装壁３２１から前方向に立設されている（図６参照）。第一側壁３６４の後端と第二側壁３６５の前端とは、側壁３６３の前後方向中央部で対向している（図３参照）。弾性部材３６６は、第一側壁３６４と第二側壁３６５との間に設けられている（図３参照）。弾性部材３６６は、例えば、ゴムなどの合成樹脂で形成されている。なお、第一側壁３６４の右下部には、スピーカ６と回路基板８とを電気的に接続するためのケーブルが挿通される部位であるケーブル挿通部位３６８が設けられている（図５参照）。ケーブル挿通部位３６８は、第一側壁３６４が前側に凹むことで形成されている。ケーブル挿通部位３６８にケーブルを挿通する場合、該ケーブルが弾性部材３６７（図４参照）の中心部に挟まれた状態で、弾性部材３６７がケーブル挿通部位３６８に配置される。この時、ケーブルと弾性部材３６７との間、及び、弾性部材３６７とケーブル挿通部位３６８との間には、隙間は発生しない。
【００２５】
筐体３の内側且つ収納壁部３６の直交方向外側の周囲には、回路基板８が設けられている。図４に示すように、回路基板８は、矩形状の外形を有し、収納壁部３６の側壁３６３を囲む矩形状の孔部８０５を中央部に有している。より詳細には、回路基板８は、第一部位８０１、第二部位８０２、第一接続部位８０３、及び第二接続部位８０４を備え、第一部位８０１、第二部位８０２、第一接続部位８０３、及び第二接続部位８０４によって、孔部８０５が形成されている。
【００２６】
第一部位８０１は、スピーカ６に対して直交方向における一方向側（本実施形態では、左側）の部位である。第一部位８０１は、収納壁部３６に対向している。第一部位８０１の上下方向の長さは、収納壁部３６の上下方向の長さより長い。第一部位８０１の上端は、収納壁部３６の上端より上方に位置する。第一部位８０１の下端は、収納壁部３６の下端より下方に位置する。即ち、第一部位８０１は、対向する収納壁部３６より上下方向に突出している。
【００２７】
第二部位８０２は、スピーカ６を挟んで第一部位８０１に対向して設けられた部位である。即ち、第二部位８０２は、スピーカ６の右側に設けられている。第二部位８０２は、収納壁部３６に対向している。第二部位８０２の上下方向の長さは、収納壁部３６の上下方向の長さより長い。第二部位８０２の上端は、収納壁部３６の上端より上方に位置する。第二部位８０２の下端は、収納壁部３６の下端より下方に位置する。即ち、第二部位８０２は、対向する収納壁部３６より上下方向に突出している。
【００２８】
第一接続部位８０３は、収納壁部３６の上側と通って、第一部位８０１と第二部位８０２を接続する部位である。第二接続部位８０４は、スピーカ６を挟んで第一接続部位８０３に対向して設けられ、第一部位８０１と第二部位８０２とを接続する部位である。即ち、第二接続部位８０４は、収納壁部３６の下側を通っている。
【００２９】
孔部８０５と側壁３６３とは離間している。即ち、回路基板８と収納壁部３６とは離間している。このため、仮に、スピーカ６から音が発せられた時に収納壁部３６が振動したとしても、振動が回路基板８に伝達されない。よって、面積が大きい回路基板８が振動することによって音が発生することを防止できる。
【００３０】
回路基板８の第一部位８０１の出力方向側には、ヘッドフォン用ジャック８２、スマートフォン用ジャック８３、及びＵＳＢジャック８４が設けられている（図３参照）。回路基板８の第二部位８０２の出力方向側には、マイク７が設けられている（図３参照）。図３に示すように、マイク７は、前外装壁３１１の近傍に取り付けられており、第二部位８０２から離間している。マイク７は、図示外のケーブルによって回路基板８に電気的に接続されている。各ジャック８２〜８４及びマイク７は、所定の厚み（例えば、３ｍｍ）以上の厚みを有する。なお、所定の厚みとは、例えば、回路基板８に実装されているＩＣ及び抵抗器の厚みのうち、最も大きい厚みであってもよい。
【００３１】
第一筐体部品３１と第二筐体部品３２を接続する構成について説明する。第一筐体部品３１と第二筐体部品３２とは、収納壁部３６の内側と外側に設けられた接続部３７によって互いに接続されている。接続部３７は、８箇所で第一筐体部品３１と第二筐体部品３２とを接続する。なお、図４等では、接続部３７は、１箇所のみ図示している。接続部３７は、４つの円筒部材３７１、４つの円筒部材３７２（図５参照）、４つのネジ用凹部３７３、４つのネジ用凹部３７４、及び８つのネジ３７５を備えている（図４〜図７参照）。
【００３２】
図４及び図５に示すように、円筒部材３７１は、第一筐体部品３１の第一側壁３６４の内側に後方向に向けて立設されている。円筒部材３７１は、正面視矩形状にスピーカ６を囲む第一側壁３６４の内側（直交方向内側）の四隅に合計４つ設けられている。円筒部材３７２は、第一筐体部品３１の第一側壁３６４の外側（直交方向外側）に、後方向に向けて立設されている。円筒部材３７２は、第一筐体部品３１の四隅に合計４つ設けられている。円筒部材３７１，３７２は、前後方向にネジ穴を有する。
【００３３】
図６に示すように、ネジ用凹部３７３は、第二筐体部品３２の第二側壁３６５の内側（直交方向内側）において、円筒部材３７１に対向する位置に設けられている。ネジ用凹部３７４は、第二側壁３６５の外側（直交方向外側）において、円筒部材３７２に対向する位置に設けられている。ネジ用凹部３７３，３７４は、後外装壁３２１が前側に円筒状に凹んで形成されている。すなわち、第二筐体部品３２の前側（図６の手前側）からみると、前側に突出している。ネジ用凹部３７３，３７４の前側の面には、前後方向に貫通する孔部３７６が設けられている。
【００３４】
図７に示すように、８つのネジ３７５は、後外装壁３２１の後側からネジ用凹部３７３，３７４に挿入される。ネジ３７５の軸部は、ネジ用凹部３７３、３７４の孔部３７６を介して円筒部材３７１，３７２のネジ穴に挿入される。これによって、第一筐体部品３１と第二筐体部品３２とが接続される。
【００３５】
スタンド９が装着される部位について説明する。図２、図３、図６〜図８に示すように、収納壁部３６の後壁部３６２（図３参照）を形成する後外装壁３２１は、第一凹部３２２と第二凹部３２３とを備えている。第一凹部３２２は、出力方向に向けて凹んだ凹部である。図３に示すように、第一凹部３２２は、スピーカ６の磁石収納部６１より直交方向外側に設けられている。より詳細には、第一凹部３２２は、収納壁部３６の後壁部３６２の左右の端部に合計２つ設けられている。第一凹部３２２は、磁石収納部６１の反対方向側の端面６１１より出力方向側に凹んでいる。図３、図６、及び図８に示すように、第一凹部３２２は、直交方向のうち、スピーカ６及び収納壁部３６から離れる方向側（直交方向外側）の部位に、直交方向に向かって設けられた孔部３２４を備えている。より詳細には、孔部３２４は、左側の第一凹部３２２の左面と、右側の第一凹部３２２の右面とに設けられている。第一凹部３２２の出力方向側の面と直交方向内側の面とは、収納壁部３６の後壁部３６２の一部である。第二凹部３２３は、スタンド９の形状に沿って、出力方向に向けて凹んでいる（図２及び図７参照）。第二凹部３２３の凹んだ深さは、スタンド９の厚みと略同じである。
【００３６】
図２、図８、及び図９を参照して、スタンド９について説明する。図２、図８、及び図９に示すように、スタンド９は、左右２つの第一凹部３２２から下方に延びる板状の延伸部９１と、左右の延伸部９１の下端同士を連結する板状の接続部位９２とを備えている。スタンド９は、筐体３の後外装壁３２１の形状に沿って湾曲している。延伸部９１の先端部の直交方向外側の端部には、延伸部９１の上端から下方に延びるスリット９３が設けられている。スリット９３が設けられていることによって、スリット９３の直交方向外側の部位が、可撓性の有する板部９４となっている。板部９４の先端には、直交方向外側に向かって設けられた軸部９５が設けられている。軸部９５が孔部３２４に挿入され、スタンド９が筐体３に装着される（図８参照）。スタンド９は軸部９５を中心に回動する。
【００３７】
図７を参照して、音響装置１の組み立て態様について説明する。マイク７が第一筐体部品３１に装着される（図３参照）。回路基板８が複数のネジによって第一筐体部品３１に固定される。スピーカ６がネジ６４によって第一筐体部品３１の第一側壁３６４（図５参照）の直交方向内側に固定される。ケーブル挿通部位３６８に、スピーカ６と回路基板８とを電気的に接続するケーブルを保持した弾性部材３６７（図４参照）が圧入される。弾性部材３６７とケーブル挿通部位３６８とは隙間なく密着している。ケーブルは弾性部材３６７に隙間なく挟まれている。故に、収納壁部３６の内側と外側とを挿通する孔は形成されない。次いで、第一側壁３６４の後側に弾性部材３６６が配置される。
【００３８】
第二筐体部品３２が第一筐体部品３１の後側から第一筐体部品３１に被せられる。接続部３７に含まれる８個のネジ３７５が締められ、接続部３７によって、第一筐体部品３１と第二筐体部品３２とが接続される。このとき、第一筐体部品３１の第一側壁３６４と第二筐体部品３２の第二側壁３６５との間で弾性部材３６６がやや押しつぶされる。第一側壁３６４と弾性部材３６６との間、第二側壁３６５と弾性部材３６６との間は隙間なく密着する。これによって、収納壁部３６の内側と外側とが隙間なく遮断される。
【００３９】
次いで、スタンド９が筐体３に装着される。このとき、板部９４が直交方向内側に撓まされながら延伸部９１の先端部、及び軸部９５が第一凹部３２２に挿入される。そして、軸部９５が第一凹部３２２の孔部３２４に到達すると、直交方向内側に撓んでいた板部９４がまっすぐに延びつつ、軸部９５が孔部３２４に挿入される（図８参照）。これによって、スタンド９が軸部９５を中心に回動可能に第二筐体部品３２に装着され、音響装置１の完成体が得られる。
【００４０】
以上のように音響装置１が構成される。本実施形態では、スピーカ６が収納壁部３６によって囲まれ、筐体３の内側のスピーカ６と回路基板８とが収納壁部３６によって分離される（図３参照）。このため、スピーカ６が出力方向に音を出力する場合に発生する反対方向（後方向）への音が、回路基板８が設けられている空間に漏れることが収納壁部３６によって防止される。回路基板８には、スイッチ８１及びジャック８２〜８４が実装されている。そして、スイッチ８１と孔部３３１との間、ジャック８２〜８４と孔部３３２との間には、筐体３の内側と外側とを連通する隙間が存在する。しかし、反対方向への音が回路基板８が設けられている空間に漏れることが収納壁部３６によって防止されるので、筐体３の内側と外側とを連通する隙間から音が漏れたり、隙間で空気が振動することによる音が発生したりすることを防止できる。
【００４１】
また、側壁３６３は、前外装壁３１１と後外装壁３２１とに接続されている（図３参照）。前壁部３６１は前外装壁３１１の一部であり、後壁部３６２は後外装壁３２１の一部である（図３、図５，及び図６参照）。このため、収納壁部３６の前壁部３６１及び後壁部３６２を前外装壁３１１及び後外装壁３２１とは別に設ける場合に比べて、筐体３の出力方向及び反対方向への厚み（前後方向の厚み）を少なくすることができる。故に、音響装置１を薄型化することができる。
【００４２】
また、収納壁部３６の前壁部３６１及び後壁部３６２を前外装壁３１１及び後外装壁３２１とは別に設ける場合に比べて、収納壁部３６を構成する壁部の材料、部品を削減することができる。よって、音響装置１の製造コストを低減することができる。
【００４３】
また、回路基板８の第一部位８０１と第二部位８０２とが、第一接続部位８０３及び第二接続部位８０４とによって接続される。このため、例えば、第二接続部位８０４が設けられない場合に比べて、回路基板８の強度が向上する。
【００４４】
また、所定の厚み以上の厚みのあるジャック８２〜８４及びマイクが、回路基板８に対して同じ方向に設けられている。このため、所定の厚み以上の厚みを有する部品が互いに回路基板の反対側に設けられている場合に比べて、前後方向の厚みを少なくすることができ、音響装置１を薄型化することができる・
【００４５】
また、スタンド９の回動中心となる一端部（延伸部９１の上端）が、第一凹部３２２に配置される。故に、スタンド９の一端部が音響装置１の反対方向側（後側）に突出することが防止され、音響装置１を薄型化することができる。また、第一凹部３２２は、磁石収納部６１の反対方向側の端面６１１より出力方向側に凹んでいる。このため、第一凹部３２２が磁石収納部６１における反対方向側の端面６１１より出力方向側に凹んでいない場合に比べて、スタンド９の一端部（延伸部９１の上端）が配置される位置が出力方向側になる。故に、音響装置１をさらに薄型化することができる。
【００４６】
また、スタンド９の回動軸となる軸部９５が挿入される孔部３２４が、収納壁部３６には設けられていない。このため、収納壁部３６に軸部を挿入する孔部が形成されることが防止される。故に、収納壁部３６に軸部９５が挿入される孔部が形成され、該孔部から音が漏れることを防止できる。
【００４７】
また、収納壁部３６の内側と外側に、第一筐体部品３１と第二筐体部品３２とを接続する接続部３７が設けられている。言い換えると、接続部３７が収納壁部３６を挟むように、第一筐体部品３１と第二筐体部品３２とが接続される。このため、収納壁部３６の内側のみ、又は、外側のみで第一筐体部品３１と第二筐体部品３２とが接続される場合に比べてより確実に、スピーカ６が設けられている空間と回路基板８が設けられている空間とを隔てる収納壁部３６に隙間が発生することを防止できる。本実施形態では、接続部３７によって、第一側壁３６４、弾性部材３６６、及び第二側壁３６５が密着し、収納壁部３６に隙間が発生することが防止されている。
【００４８】
また、回路基板８の第一部位８０１及び第二部位８０２はスピーカ６を挟んで対向している。言い換えると、第一部位８０１と第二部位８０２との間にスピーカ６が配置されている。このため、音響装置１の左右方向中央部にスピーカ６を配置できる。また、第一部位８０１及び第二部位８０２を接続する第一接続部位８０３及び第二接続部位８０４が設けられているので、第一接続部位８０３及び第二接続部位８０４に部品を実装することができる。本実施形態では、第一接続部位８０３にスイッチ８１が実装されている。このように、第一接続部位８０３及び第二接続部位８０４が設けられているため、第一接続部位８０３及び第二接続部位８０４が設けられていない場合に比べて、部品の配置の自由度が向上する。
【００４９】
また、仮に、第一部位８０１と第二部位８０２とが第一接続部位８０３及び第二接続部位８０４によって接続されていなかった場合、第一部位８０１と第二部位８０２とを接続するための配線（リード線やフレキシブルプリント配線等）と、該配線を第一部位８０１と第二部位８０２とに接続するコネクタが必要になり、コストが増大する場合がある。また、コネクタと配線とを接続するための製造工程が必要となり、さらにコストが増大する場合がある。本実施形態では、第一部位８０１と第二部位８０２とが第一接続部位８０３及び第二接続部位８０４によって接続されている。よって、第一部位８０１と第二部位８０２とを接続するための配線、コネクタが必要なく、コネクタと配線とを接続するための製造工程が不要であるので、コストが増大することを防止できる。
【００５０】
本実施形態において、ジャック８２〜８４が本発明の「第一部品」に相当し、マイク７が本発明の「第二部品」に相当する。第一凹部３２２が本発明の「凹部」に相当する。
【００５１】
なお、本発明は上記の実施形態に限定されるものではなく、種々の変更が可能である。
例えば、回路基板８は、第一部位８０１、第二部位８０２、第一接続部位８０３、及び第二接続部位８０４を備えていたが、これに限定されない。例えば、図１０に示すように、第二接続部位８０４（図４参照）を設けなくてもよい。
【００５２】
また、収納壁部３６の形状は限定されない。例えば、図１１に示すように、収納壁部３６の側壁３６３が円形にスピーカと囲んでもよい。また、回路基板８の形状は限定されない。回路基板８は、スピーカ６に対して直交方向における一の方向側に設けられた第一部位８０１と、スピーカ６を挟んで第一部位に対向しても設けられた第二部位８０２と、第一部位８０１と第二部位８０２とを接続する第一接続部位８０３とを備えていれば、形状は特に限定されない。例えば、図１１に示すように、回路基板８が収納壁部３６の周囲に弧状に配置されてもよい。図１１における回路基板８は、収納壁部３６の左側の部位が第一部位８０１であり、右側部位が第二部位８０２であり、収納壁部３６の上側の部位が第一接続部位８０３である。また、図示しないが、図１１における第一部位８０１の下端と第二部位８０２の下端とを弧状に接続する部位を設けて、回路基板８が収納壁部３６の周囲に円状に設けられてもよい。この場合、当該部位が、第二接続部位８０４となる。
【００５３】
また、接続部３７は、円筒部材３７１，３７２（図５参照）、ネジ用凹部３７３，３７４（図６参照）、及びネジ３７５（図７参照）で、第一筐体部品３１と第二筐体部品３２とを接続していたが、これに限定されない。例えば、接続部３７は、第一筐体部品３１と第二筐体部品３２との一方に爪を備え、他方に当該爪に嵌合する嵌合部を備えてもよい。この場合、爪と嵌合部とが嵌合されることで、第一筐体部品３１と第二筐体部品３２とが接続される。また、接続部３７は、第一筐体部品３１と第二筐体部品３２との一方に軸を備え、他方に当該軸が圧入される円筒部材を備えてもよい。この場合、円筒部材に軸が圧入されることで、円筒部材と軸との摩擦力によって、第一筐体部品３１と第二筐体部品３２とが接続される。
【００５４】
また、収納壁部３６の前壁部３６１は、前外装壁３１１の一部であり、収納壁部３６の後壁部３６２は、後外装壁３２１の一部であったが、これに限定されない。例えば、前壁部３６１は、前外装壁３１１とは別に設けられてもよい。また、後壁部３６２は、後外装壁３２１とは別に設けられていてもよい。
【００５５】
また、収納壁部３６の側壁３６３は、第一側壁３６４、第二側壁３６５、弾性部材３６６、及び弾性部材３６７を備えていたが、これに限定されない。例えば、弾性部材３６６を設けず、第一側壁３６４の後端部と第二側壁３６５の前端部とが密着することで、側壁３６３が形成されてもよい。また、第一側壁３６４の前後方向の長さを短くし、第一側壁３６４の長さが短くなった分、第二側壁３６５の前後方向の長さを長くしてもよい。また、第二側壁３６５の前後方向の長さを短くし、第二側壁３６５の長さが短くなった分、第一側壁３６４の前後方向の長さを長くしてもよい。また、第一側壁３６４を削除し、第一側壁３６４が削除された長さ分、第二側壁３６５の長さを延ばしてもよい。また、第二側壁３６５を削除し、第二側壁３６５が削除された長さ分、第一側壁３６４を延ばしてもよい。このように、側壁３６３は、第一筐体部品３１と第二筐体部品３２との少なくとも一方に設けられてもよい。また、側壁３６３は、第一筐体部品３１と第二筐体部品３２とは別の部品で構成されてもよい。この場合、側壁３６３を前外装壁３１１と後外装壁３２１とに直接当接させる、又は、弾性部材を介して密着させることで、側壁３６３が前外装壁３１１と後外装壁３２１とに接続されてもよい。
【００５６】
また、本実施形態における出力方向は、スピーカ６が筐体３の外部に音を出力する方向であったが、これに限定されない。例えば、出力方向は、スピーカ６に内蔵されている振動板の振動方向の前方側、スピーカ６に内蔵されているコイルの振動方向の前方側、音を出力する振動板の面が向いている方向であってもよい。
【００５７】
また、スタンド９の軸部９５が挿入される孔部３２４は、直交方向に後外装壁３２１を貫通しているが、これに限定されない。孔部３２４は、軸部９５を回転可能に保持できればよく、貫通しない凹部であってもよい。また、スタンド９が設けられていたが、スタンド９を設けなくてもよい。また、第一凹部３２２及び第二凹部３２３が設けられていたが、第一凹部３２２及び第二凹部３２３を設けなくもよい。
【符号の説明】
【００５８】
１    音響装置
３    筐体
６    スピーカ
７    マイク
８    回路基板
９    スタンド
３１    第一筐体部品
３２    第二筐体部品
３６    収納壁部
３７    接続部
６１    磁石収納部
８２    ヘッドフォン用ジャック
８３    スマートフォン用ジャック
８４    ＵＳＢジャック
９１    延伸部
９２    接続部位
９５    軸部
３１１    前外装壁
３２１    後外装壁
３２２    第一凹部
３２４    孔部
３６１    前壁部
３６２    後壁部
３６３    側壁
８０１    第一部位
８０２    第二部位
８０３    第一接続部位
８０４    第二接続部位
【図１】
2013219564.tif 000003
【図２】
2013219564.tif 000004
【図３】
2013219564.tif 000005
【図４】
2013219564.tif 000006
【図５】
2013219564.tif 000007
【図６】
2013219564.tif 000008
【図７】
2013219564.tif 000009
【図８】
2013219564.tif 000010
【図９】
2013219564.tif 000011
【図１０】
2013219564.tif 000012
【図１１】
2013219564.tif 000013